(57)【要約】【課題】  人形本体及び人形本体に着脱可能に取り付ける別部品が本物らしく、見栄えの良好な人形体を提供する。【解決手段】  人形本体２０に後から別部品３０を追加する際に、粘着性を有するシート部材４０を介して別部品３０を人形本体２０に取り付けるので、予め人形本体２０や別部品３０に、開口部や突起等を設ける必要がない。このため、人形本体２０及び別部品３０を本来の形状とすることができ、本物らしく見栄えがする人形本体２０や別部品３０を形成することができる。【選択図】  図２
2011234985.tif 000002
【特許請求の範囲】
【請求項１】
人形本体と、
前記人形本体に着脱可能な別部品と、
前記別部品を前記人形体に取り付ける粘着性を有するシート部材と、を有することを特徴とする人形体。
【請求項２】
請求項１において、
前記シート部材が、ゲルシートである人形体。
【請求項３】
請求項１又は請求項２において、
前記ゲルシートは、一方の面が両面テープ加工されており、前記一方の面を前記人形本体の取付け位置と接触する前記別部品の所定位置に取り付けることができ、
前記別部品は、前記ゲルシートの他方の面の粘着力により前記人形体の取付け位置に取り付けられる人形体。
【請求項４】
請求項１乃至請求項３のいずれか一項に記載の人形体において、前記人形本体は、使用者が組立てることにより完成する組立てキットである人形体組立てキット。
【発明の詳細な説明】
【技術分野】
【０００１】
本発明は、人形体及び人形体組立てキットに関するものである。
【背景技術】
【０００２】
人形本体に別部品を追加で取り付けることができる人形体がある（特許文献１参照）。特許文献１に記載の人形体は、人形本体と、この人形本体に後から着脱可能な別部品を有しており、取付け手段により別部品を人形本体の所定位置に取り付ける。
【０００３】
この場合、取付け手段として、人形本体に凸部または凹部を設け、別部品には、人形本体の凸部または凹部に嵌合する凹部または凸部を設けてある。従って、別部品の凹部または凸部を人形本体の凸部または凹部に嵌合させることにより、容易に別部品を人形本体に着脱することができる。
【先行技術文献】
【特許文献】
【０００４】
【特許文献１】特開２００１−７４０３０号公報
【発明の概要】
【発明が解決しようとする課題】
【０００５】
しかしながら、前述したような人形体においては、取付け手段として人形本体における取り付け部位及び別部品に、互いに嵌合可能な凸部および凹部を設けている。このため、別部品を取り付けない状態の人形本体及び別部品に、本来ないはずの凸部や凹部が、取付けだけのために設けられる。例えば、人形本体に別部品としての衣装を追加で着脱可能に取り付ける際に、人形本体に凹部が設けられ、衣装に凸部が設けられていたのでは、外観上、人形本体及び衣装が本物らしくなく、見栄えがよくないという問題があった。
【０００６】
そこで、本発明は、上記の問題を鑑みてなされたものであり、人形本体及び人形本体に着脱可能に取り付ける別部品が本物らしく、見栄えの良好な人形体を提供することを目的とする。
【課題を解決するための手段】
【０００７】
本発明の人形体は、人形本体と、人形本体に着脱可能な別部品と、別部品を人形体に取り付ける粘着性を有するシート部材と、を有する構成を有している。
【０００８】
また、本発明の人形体において、シート部材が、ゲルシートである構成を有していることが好ましい。また、本発明の人形体において、ゲルシートは一方の面が両面テープ加工されており、該一方の面を人形本体の取付け位置と接触する別部品の所定位置に取り付け、ゲルシートの他方の面の粘着力により該別部品を該人形体の取付け位置に取り付ける構成を有していることが好ましい。
【発明の効果】
【０００９】
本発明に係る人形体によれば、人形本体に後から別部品を追加する際に、粘着性を有するシート部材を介して別部品を人形本体に取り付けるので、予め人形本体や別部品に、開口部や突起等を設ける必要がない。このため、人形本体及び別部品を本来の形状とすることができ、本物らしく見栄えがする人形本体や別部品を有する人形体を提供することができる。
【図面の簡単な説明】
【００１０】
【図１】本発明にかかる実施形態の戦闘ロボット人形の斜視図である。
【図２】本発明にかかる実施形態の戦闘ロボット人形において装甲装備を装着する前の分解斜視図である。
【図３】装甲装備の斜視図である。
【図４】ゲルシートの斜視図である。
【発明を実施するための形態】
【００１１】
以下、本発明に係る好適な実施の形態について、図面を参照しながら詳細に説明する。図１及び図２に示すように、本発明にかかる実施形態の人形体としての戦闘ロボット人形１０は、人形本体であるロボット人形本体２０と、後から追加でロボット人形本体２０の所定の取付け位置２１に着脱可能な別部品としての装甲装備３０を有する。なお、この戦闘ロボット人形１０は、戦闘ゲーム等において移動や変身させながら用いるものではなく、主に、所望の形状で飾り置いて使用に供するものである。
【００１２】
戦闘ロボット人形１０は、装甲装備３０を装着しない非戦闘状態のロボット人形本体２０としても成立し、装甲装備３０を装着することにより、戦闘時のロボット人形１０に変身する。ロボット人形本体２０は、腕２２及び脚２３を有し、各腕２２及び脚２３の途中位置には回動可動かつ任意の位置で固定可能な関節２４を有する。従って、各関節２４を所望の角度に回動させて所望の形状とすることにより、人形本体２０は種々の姿勢を採り得る。なお、戦闘ロボット人形１０は、複数のパーツに分解されているロボット人形本体２０や装甲装備３０等を使用者が適宜組立てることにより完成する組立てキットからなる人形体組立てキットであってもよい。
【００１３】
図２及び図３に示すように、装甲装備３０は、ロボット人形本体２０の肩から胸にかけて装着する装備であり、胸当て部３１と、肩にかける一対のアーム部３２，３２により、全体コ字状に形成されている。胸当て部３１の内面における各アーム部３２の付け根近傍の所定位置であるシート取付け位置３３には、粘着性を有するシート部材としてのゲルシート４０が各々取り付けられている。このゲルシート４０取付け位置３３は、装甲装備３０をロボット人形本体２０に装着した際に、ロボット人形本体２０の取付け位置２１に対向して当接する。
【００１４】
なお、ロボット人形本体２０における取付け位置２１は、ロボット人形本体２０を床面に置いたときに取付け位置２１が多少上向きの面であるのが好ましく、これに対応して装甲装備３０におけるシート取付け位置３３は、下向きの面であるのが好ましい。これにより、ロボット人形本体２０と装甲部材３０とを確実に固定させることができる。ただし、ロボット人形本体２０における取付け位置２１と装甲装備３０におけるシート取付け位置３３の位置関係は、これに限定されるものではない。
【００１５】
図４に示すように、ゲルシート４０は、例えば矩形状をしており、一方の面４１が両面テープ加工されて（すなわち、両面テープ４２が貼設されて）おり、他方の面４４は他の物に押し付けることにより、容易に変形可能且つ粘着する。ゲルシート４０は、非使用状態では、両面テープ４２に保護フィルム４３が取り付けられており、他の物が付着しない。一方、ゲルシート４０を装甲装備３０のシート取付け位置３３に取り付ける際には、保護フィルム４３を取り去った後に、両面テープ４２をシート取付け位置３３に貼り付ける。
【００１６】
装甲装備３０をロボット人形本体２０に装着する際には、装甲装備３０のゲルシート４０の他方の面４４をロボット人形本体２０の取付け位置２１に押し付け、取付け位置２１の形状に合わせて変形させるとともに、ゲルシート４０の粘着力により装甲装備３０をロボット人形本体２０に取り付ける。一方、装甲装備３０をロボット人形本体２０から取り外す際には、単に、装甲装備３０を引き剥がすだけでよい。
【００１７】
以上、説明した実施形態にかかるロボット人形１０によれば、ロボット人形本体２０に後から装甲装備３０を追加する際に、粘着性を有するゲルシート４０を介して装甲装備３０をロボット人形本体２０に取り付けるので、予めロボット人形本体２０や装甲装備３０に、開口部や突起等を設ける必要がない。このため、ロボット人形本体２０及び装甲装備３０を本来の形状とすることができ、本物らしく見栄えがするロボット人形本体２０や装甲装備３０を形成することができる。
【００１８】
また、粘着性のあるゲルシート４０の粘着力及び変形により装甲装備３０をロボット人形本体２０に取り付けるので、装甲装備３０をロボット人形本体２０に容易に取り付けられるとともに容易に取り外すことができる。さらに、装甲装備３０を取り外した後のロボット人形本体２０には、装甲装備３０を取り付けるために用いる粘着剤等が残らない。
【００１９】
なお、シート部材としては、粘着性を有し、装甲装備３０を取り除いた際にロボット人形本体側に粘着剤等が残らないものであれば特に限定されるものではないが、ロボット人形本体にプラスチック材料を用いる場合や、ロボット人形本体に塗装を施している場合は、シリコーン系のゲル状組成物を用いたゲルシートを用いることが好ましい。それにより、装甲装備３０を取り外した後のロボット人形本体２０に、粘着剤等がより残りにくいため好ましい。なお、ゲルシート表面の粘着力が弱くなった場合は、水分を含んだ布等でゲルシート表面をふき取ることにより粘着力を復帰させることができる。
【００２０】
さらに、ゲルシート４０は、両面テープ加工（両面テープ４２）で装甲装備３０のシート取付け位置３３に取り付けられているので、装甲装備３０をロボット人形本体２０の取付け位置に載置して押し付けるだけで、ゲルシート４０の粘着力及び変形により容易に取り付けることができる。なお、ゲルシートの厚さは、ロボット人形本体２０に装甲装備３０を取り付けた際に違和感がない１ｍｍ程度であることが好ましい。
【００２１】
また、装甲装備３０をロボット人形本体２０から容易に取り外すことができるとともに、装甲装備３０を取り外した後は、ゲルシート４０は両面テープ４２により装甲装備３０に貼り付けられて残るが、ロボット人形本体２０には粘着剤等何も残らないので、ロボット人形本体２０単体として違和感なく使用できる。
【００２２】
なお、ゲルシート４０は、一方の面が両面テープ加工されていることにより、ロボット本体から装甲装備３０を取り外した際に必ずゲルシート４０が装甲装備３０側に残るため好ましいが、必ずしも一方の面が両面テープ加工（両面テープ４２）されている必要はなく、一方の面に両面シートを設けず、装甲装備３０にゲルシートをそのまま取付けてもよい。その場合、ゲルシートの粘着性が弱くなったりしてゲルシートを取り替えたい場合にも装甲装備３０側にも粘着剤等が残ることがなく好ましい。
【００２３】
本実施の形態の人形体において、人形本体に後から別部品を追加する際に、粘着性を有するシート部材を介して別部品を人形本体に取り付けるので、予め人形本体や別部品に、開口部や突起等を設ける必要がない。また、粘着性を有するシート部材として、ゲルシートを用いることにより、別部品を人形本体から容易に取り外すことができるとともに、別部品を取り外した後の人形本体には、別部品を取り付けるのに用いる粘着剤等が残らない。よって、人形本体及び別部品を本来の形状とすることができ、本物らしく見栄えがする人形本体や別部品を有する人形体を形成することができる。
【００２４】
また、本実施の形態の人形体において、ゲルシートは両面テープ加工で別部品の取付け位置に取り付けられているので、別部品を人形本体の取付け位置に載置するだけで、ゲルシートの粘着力により容易に取り付けることができる。また、別部品を人形本体から容易に取り外すことができるとともに、別部品を取り外した後には、ゲルシートは両面テープ加工により別部品に残るので、人形本体には粘着剤等何も残らないので、人形本体として違和感がない。
【００２５】
なお、本発明に係る人形体は、上述した実施形態に限定されるものではなく、種々の変形、変化が可能である。すなわち、前述した実施形態では、人形体として戦闘ロボット人形１０を例示し、別部品として装甲装備３０を例示したが、これに限られるものではなく、例えば人形本体として女の子が遊ぶような人形を用い、別部品として人形本体に着せ替える衣装を用いるなど様々な形態をとることができる。
【符号の説明】
【００２６】
１０  人形体
２０  ロボット人形本体（人形本体）
２１  取付け位置
２５  シート取付け位置（所定位置）
３０  装甲装備（別部品）
４０  ゲルシート（シート部材）
４１  一方の面
４２  両面テープ
４４  他方の面
【図１】
2011234985.tif 000003
【図２】
2011234985.tif 000004
【図３】
2011234985.tif 000005
【図４】
2011234985.tif 000006